(57)【要約】【課題】  商品に装着されている無線タグを商品管理だけでなく、各顧客の会計処理に利用し、会計処理の迅速化を図る。【解決手段】  商品陳列ユニット１は商品が取出される際に当該商品に付された無線タグから商品情報を読取り、いずれかの買物カートに入れられるまで、不正防止のために当該商品情報を記憶しておき、買物カート４はカートに入れられる商品に付された無線タグ商品情報を読取り，記憶し、その旨を商品陳列ユニット１に通知し、会計処理装置５は会計処理を要求する買物カート４から商品情報とカートＩＤを受信し会計処理した会計情報を記憶し、直近に存在している買物カートを検知した場合に、当該カートＩＤに対応している会計情報を提示する。【選択図】    図１
2014071599.tif 000002
【特許請求の範囲】
【請求項１】
商品を陳列する１以上の商品陳列ユニットと、購入する商品を搬送する１以上の買物カートと、前記買物カートに入っている商品の会計処理を実行する１以上の会計処理装置から成るシステムであって、
前記商品陳列ユニットは、陳列している商品のいずれかが自商品陳列ユニットから取出される際に当該商品に装着されている無線タグから当該商品を識別する商品情報を読取る取出商品情報読取手段と、前記読取った商品情報を記憶しておく取出商品情報記憶手段と、いずれかの買物カートから当該買物カートに入っている商品に係る商品情報を受信するカート商品情報受信手段と、を有し、前記取出商品情報記憶手段に記憶されている商品情報のいずれかに対応する商品情報を前記カート商品情報受信手段が受信した場合に、当該商品情報を前記取出商品情報記憶手段から削除し、
前記買物カートは、自買物カートに入れられる商品に装着されている無線タグから当該商品を識別する商品情報を読取るカート商品情報読取手段と、前記読取った商品情報を記憶しておくカート商品情報記憶手段と、前記読取った商品情報を所定の宛先へ通知するカート商品情報通知手段と、を有し、所定の操作が為された場合に、前記カート商品情報記憶手段に記憶されている商品情報の全てを自買物カートに固有のカートＩＤと対応付けて前記会計処理装置へ通知し、
前記会計処理装置は、前記買物カートの各々から通知される商品情報を収集し前記カートＩＤ毎に所定の会計処理を実行する会計処理手段と、近傍に存在する買物カートを検知する買物カート検知手段と、を有し、前記近傍に存在している買物カートを検知した場合に、前記会計処理手段が処理した当該カートＩＤに対応している会計処理結果または支払いに係る案内情報を提示することを特徴とする無線タグと連動する買物カートシステム。
【請求項２】
請求項１に記載のシステムにおいて、
前記商品陳列ユニットは、前記取出商品情報読取手段が自商品陳列ユニットから取出された商品の商品情報を読取ってから所定時間が経過しても当該商品情報に対応する商品情報を前記カート商品情報受信手段が受信しない場合に、不正または異常に係る警報を所定の宛先へ通報する通報手段を、さらに有することを特徴とする無線タグと連動する買物カートシステム。
【請求項３】
請求項１に記載のシステムにおいて、
前記商品陳列ユニットは、前記取出商品情報記憶手段に記憶されている商品情報のいずれかに対応する商品情報を前記取出商品情報読取手段が読取った場合に、取出された商品が棚に戻ったと判定し、前記戻ったと判定した商品に係る商品情報をいずれかの買物カートへ通知する戻り商品情報通知手段をさらに有し、
前記買物カートは、前記商品陳列ユニットから通知される商品情報を受信する戻り商品情報通知手段と、他買物カートのカート商品情報通知手段が通知してくる商品情報を受信する他カート商品情報受信手段をさらに有し、前記カート商品情報記憶手段に記憶されている商品情報に対応する商品情報を前記カート商品情報読取手段が読取った場合に、前記読取った商品情報は前記商品陳列ユニットへ戻す商品であるまたは他の買物カートへ移動する商品であると判定し、前記戻り商品情報通知手段または前記他カート商品情報受信手段が当該商品に対応する商品情報を受信したならば、前記カート商品情報記憶手段に記憶していた当該商品に対応する商品情報を削除することを特徴とする無線タグと連動する買物カートシステム。
【発明の詳細な説明】
【技術分野】
【０００１】
本発明は、無線タグを装着している商品を陳列する商品陳列ユニットと、購入する商品を搬送する買物カートと、前記買物カートに入っている商品の会計処理を実行する会計処理装置から成る無線タグと連動する買物カートシステムに関する。
【背景技術】
【０００２】
近年、スーパーマーケットやショッピングモールの大型化に伴い、多品種の商品や大勢の顧客が集中し、効率的な商品の流通管理や盗難防止や会計処理が求められている。そこで、商品管理を効率的に行なうために、商品に非接触ＩＣタグ（無線タグ）を貼付して、このＩＣタグを検知するシステムに関する技術がある（例えば、特許文献１）。
【０００３】
特許文献１に記載された技術は、例えば、無線通信装置は、商品棚に陳列された商品と、レジで代金精算を行う商品と、店舗の出口から持ち出される商品との各々の商品に付されたＩＤ情報を非接触により読み取る。情報処理装置は、各無線通信装置からＩＤ情報を受信する。ＩＤ情報を受信した場合、ＩＤ情報と、ＩＤ情報を送信した無線通信装置の設置場所情報とを関連付けて商品情報データベースに登録する。そして、店舗の出口システムの読取り装置から受信したＩＤ情報が、レジに設置されている無線通信装置からすでに受信されているか否かを判定する。
【０００４】
しかしながら、この技術は、店舗内に陳列された商品について、店舗内で行われている万引き等の不正行為を早期に発見すること等が目的であり、顧客の利便性が配慮されておらず、商品を購入する顧客は、依然として、支払いのためにレジに並ぶ必要がある。このため、レジに行列が発生し易く、長蛇の列に並ぶ顧客は苦痛である。
【先行技術文献】
【特許文献】
【０００５】
【特許文献１】特開２０１１−２１５９４１号公報
【発明の概要】
【発明が解決しようとする課題】
【０００６】
そこで、本発明の課題は、商品に装着されている無線タグを商品管理だけでなく、各顧客の会計処理に利用し、会計処理の迅速化を図ることにある。
【課題を解決するための手段】
【０００７】
上記課題を解決するために、本発明は、商品を陳列する１以上の商品陳列ユニットと、購入する商品を搬送する１以上の買物カートと、前記買物カートに入っている商品の会計処理を実行する１以上の会計処理装置から成るシステムであって、前記商品陳列ユニットは、陳列している商品のいずれかが自商品陳列ユニットから取出される際に当該商品に装着されている無線タグから当該商品を識別する商品情報を読取る取出商品情報読取手段と、前記読取った商品情報を記憶しておく取出商品情報記憶手段と、いずれかの買物カートから当該買物カートに入っている商品に係る商品情報を受信するカート商品情報受信手段と、を有し、前記取出商品情報記憶手段に記憶されている商品情報のいずれかに対応する商品情報を前記カート商品情報受信手段が受信した場合に、当該商品情報を前記取出商品情報記憶手段から削除し、前記買物カートは、自買物カートに入れられる商品に装着されている無線タグから当該商品を識別する商品情報を読取るカート商品情報読取手段と、前記読取った商品情報を記憶しておくカート商品情報記憶手段と、前記読取った商品情報を所定の宛先へ通知するカート商品情報通知手段と、を有し、所定の操作が為された場合に、前記カート商品情報記憶手段に記憶されている商品情報の全てを自買物カートに固有のカートＩＤと対応付けて前記会計処理装置へ通知し、前記会計処理装置は、前記買物カートの各々から通知される商品情報を収集し前記カートＩＤ毎に所定の会計処理を実行する会計処理手段と、近傍に存在する買物カートを検知する買物カート検知手段と、を有し、前記近傍に存在している買物カートを検知した場合に、前記会計処理手段が処理した当該カートＩＤに対応している会計処理結果または支払いに係る案内情報を提示することを特徴とする。
【発明の効果】
【０００８】
本発明によれば、買物カートに入っている商品に装着されている無線タグにより、事前に会計処理をしておけるので、レジにおける支払いを円滑化または自動化できる。また、買物カートおよび商品陳列ユニットの双方に無線タグリーダがあるので、商品の戻しおよび不正の検知が容易である。
【図面の簡単な説明】
【０００９】
【図１】本発明による買物カートシステムの全体構成図および内部ブロック構成図
【図２】本発明による商品陳列ユニットの動作フローチャート図
【図３】本発明による買物カートの動作フローチャート図
【図４】本発明による会計処理装置の動作フローチャート図
【発明を実施するための形態】
【００１０】
以下、図面を併用して本発明の実施形態について説明する。図１は、本発明による買物カートシステムの全体構成図、および商品陳列ユニット１、買物カート４、会計処理装置５、出口システム６の内部ブロック構成図である。
【００１１】
商品陳列ユニット１は、ユニット制御部１０、無線タグリーダ１１、商品情報記憶部１２、通信制御部１３、商品陳列スペース１４、表示部１５、無線タグリーダ読取りエリア１６から構成される。
【００１２】
ユニット制御部１０は、商品陳列ユニット１内の各部を制御する手段であり、無線タグリーダ１１，商品情報記憶部１２，通信制御部１３と連携して、商品陳列ユニット１内の商品の出入りを管理する。
【００１３】
無線タグリーダ１１は、商品２に付された無線タグ３が無線タグリーダ読取エリア１６を通過時に商品ＩＤ（商品情報）を読取り、読取った商品ＩＤをユニット制御部１０へ通知する手段である。ここで、商品ＩＤは当該商品の価格情報、分類情報、識別情報を含む商品情報であって、同一種類の商品であっても個々を識別可能である。
【００１４】
商品情報記憶部１２は、ユニット制御部１０を介して無線タグリーダ１１が読取った無線タグ３の商品ＩＤを記憶する手段である。即ち、商品情報記憶部１２には、商品陳列ユニット１から取出された商品の商品ＩＤが記憶されている。これは、商品陳列ユニット１から取出された商品が、顧客の買物カート４に入ったことを確認するために、一時的に記憶しておくもので、不正を検知できる（詳細は後述する）。
【００１５】
通信制御部１３は、買物カート４，通報先７，在庫管理部門８と通信する手段である。買物カート４から商品ＩＤを受信した場合、受信した商品ＩＤをユニット制御部１０へ通知する。またユニット制御部１０からの制御に応じて、不正に係る警報を通報先７に通報したり、在庫管理に係る商品ＩＤを在庫管理部門８に送信する。
【００１６】
商品陳列スペース１４は、無線タグ３が付された商品２を陳列する手段であり、顧客はこのスペースに陳列されている商品を取出して、買物カート４へ入れる。なお、図示しないが、商品陳列スペース１４に電動式のネットを装着し、ユニット制御部１０と連携して不正を防止することも可能である（例えば、近傍に買物カート４が存在していない状態での商品２の取出しを防止する）。
【００１７】
表示部１５は、ユニット制御部１０からの制御により警報や商品情報を表示する手段である（詳細な説明は省略する）。
【００１８】
無線タグリーダ読取エリア１６は、無線タグリーダ１１が読取る読取範囲である。例えば、無線タグリーダ１１が読取る無線タグ３はパッシブ型であって、無線タグリーダ１１が発信する電波に反応して、無線タグ３は自無線タグ内に記憶しているＩＤ情報を送信する。そして、無線タグリーダ１１は、指向性アンテナ（図示せず）により、買物カート４に入る商品が通過する面上に電波を放射する。従って、無線タグリーダ１１は、この面上の電波を放射面、即ち無線タグリーダ読取エリア１６を通過する商品に付された無線タグ３から商品ＩＤを読取ることが可能となる。
【００１９】
買物カート４は、無線タグリーダ４０、通信制御部４１、表示部４２、無線タグリーダ読取エリア４３、商品入れエリア４４、商品情報記憶部４５、カート制御部４６、操作部４７から構成される。
【００２０】
無線タグリーダ４０は、商品２に付された無線タグ３が無線タグリーダ読取エリア４３を通過する時に商品ＩＤ（商品情報）を読取り、読取った商品ＩＤをカート制御部４６へ通知する手段であり、商品陳列ユニット１の無線タグリーダ１１と同様の機能を有する。
【００２１】
通信制御部４１は、商品陳列ユニット１、会計処理装置５と通信する手段である。操作部４７から事前会計要求操作があった場合、商品情報を通信制御部４１を介して、会計処理装置５に通知する。
【００２２】
表示部４２は、カート制御部４６からの制御により、商品情報を表示する手段であり、例えば、商品エリア４４に入っている商品のリストや総額を表示する。また、店舗内の案内図を表示するようにしてもよい（詳細な説明は省略する。）
商品入れエリア４４は、無線タグ３が付された商品２を搬送するための収納エリアであって、店舗内買物カゴを収納してもよい。
【００２３】
商品情報記憶部４５は、カート制御部４６を介して、無線タグリーダ４０が読取った無線タグ３の商品ＩＤを記憶する手段である。
【００２４】
カート制御部４６は、買物カート４内の各部を制御する手段であり、無線タグリーダ４０、商品情報記憶部４５、通信制御部４１と連携して、買物カート４内の商品の出入りを管理し、買物カート４に入っている商品のリストや総額を表示部４２に表示したり、操作部４７からの操作に応じて、通信制御部４１を介して、会計処理装置５へ通知する。
【００２５】
操作部４７は、顧客（買物カート４の使用者）が買物カート４を操作する手段であって、“清算”，“取消”，“店舗案内”等の機能キーやテンキーや方向キーから成る（図示せず）。例えば、顧客が“清算”キーを押下した場合、カート制御部４６は、顧客が事前会計を要求したと判断し通信制御部４１を介して商品情報を会計処理装置５に事前に通知する。
【００２６】
会計処理装置５は、会計処理部５０、操作部５１、入金部５２、レシート出力部５３、表示部５４、通信制御部５５、会計情報記憶部５６、近傍カート検知部５７から構成される。
【００２７】
会計処理部５０は、会計処理装置５内の各部を制御すると共に、各買物カート４毎の会計処理を実行する手段である。
【００２８】
操作部５１は、顧客（買物カート４の使用者）が会計処理装置５を操作する手段であって、例えば、“清算”，“確認”，“取消”，“担当者呼出”等の機能キーやテンキーや方向キーから成る（図示せず）。例えば、顧客が表示部５４に表示されている、商品リストや総額について、内容が正しいことを確認した場合には“確認”キーを押下した場合、会計処理部５０は、支払処理に関する案内をする（例えば、“現金を現金投入口へお入れ下さい、またはキャッシュカードをカード投入口へお入れ下さい”のような音声ガイダンス）。
【００２９】
入金部５２は、顧客が現金，プリペイドカード，キャッシュカード，クレジットカード等を投入する手段であり、投入された入金情報を会計処理部５０に通知する。
【００３０】
レシート出力部５３は、会計処理部５０からの制御により、清算された（支払われた）商品に関するレシートをプリントする手段であり、プリントされたレシートは顧客が受け取る。
【００３１】
表示部５４は、会計処理部５０からの制御により、支払いを求める総額や商品リスト情報（内訳）を表示する手段である。
【００３２】
通信制御部５５は、買物カート４と通信する手段である。買物カート４から事前会計要求操作により商品情報を受信した場合、受信した商品情報を会計処理部５０に通知する。
【００３３】
会計情報記憶部５６は、各買物カート４から通知される商品情報または事前に処理した会計処理情報（支払請求願等）をカートＩＤ別に記憶しておく手段である。
【００３４】
近傍カート検知部５７は、通信制御部５５が買物カート４から受信する電波を監視して支払いのために近づいてくる買物カート４のカートＩＤを検知する手段である。例えば、各買物カート４は、定期的にカートＩＤ情報を含む電波を発信するようにすればよい。そして、近傍カート検知部５７が会計処理装置５に近づいた買物カート４のカートＩＤを検知すると、会計処理部５０へ検知したカートＩＤを通知し、会計処理部５０は、支払いに関する案内（例えば、“お買い上げ有難うございます。お客様のお買い上げの商品リストと額をご確認の上、よろしければ確認ボタンを押して下さい”）を表示部５４に表示する。このように、顧客が会計処理装置５に近づいた時には、既に会計処理が為されていて、顧客はその内容を確認してその額を支払うだけなので支払いが迅速であり、従来のように支払いのためにレジに並ぶことが大幅に軽減される。
【００３５】
出口システム６は、無線タグリーダ６０、無線タグリーダ読取りエリア６１、通信制御部６２、カート置き場６３、無線タグ回収ＢＯＸ６４から構成される。
【００３６】
無線タグリーダ６０は、商品２に付されたままの無線タグ３が無線タグリーダ読取りエリア６１を通過した時に、その無線タグ３から商品ＩＤを読取って、通信制御部６２を介して通報先７（例えば、警備員室）と通報する手段である。カート置き場６３は、カート４を配置する手段である。無線タグ回収ＢＯＸ６４は、無線タグ３を回収する手段である。
【００３７】
支払いを済ませた顧客は、購入した各商品に付されている無線タグを取り外し、無線タグ回収ＢＯＸ６４へ入れてから、買物カート４をカート置き場６３へ返却する。従って、無線タグリーダ６０が、無線タグ３の通過を検知した場合、無線タグ３付いたままの商品が店外へ出る場合であって、万引きまたは無線タグ３の回収忘れであって、その旨を通報する。また、その際、自動ドアーは閉めるまたは注意喚起を促す表示をするようにしてもよい（図示せず）。
【００３８】
図２は、本発明による商品陳列ユニット１の動作フローチャート図である。以下、図１を併用して、商品陳列ユニット１の動作フローを説明する。本フローは、商品陳列ユニット１の電源が投入された時にスタートする（Ｓ２００）。
【００３９】
無線タグリーダ１１が無線タグリーダ読取りエリア１６を通過する無線タグ３から商品ＩＤ（商品Ｘｉ）を読取ると（Ｓ２０１，ＹＥＳ）、ユニット制御部１０は、商品情報記憶部１２に記憶されているいずれかの商品情報Ｘｉと一致するか否かを判定する（Ｓ２０２）。ここで、商品情報記憶部１２には、後述のＳ２２０以降のステップにより、商品陳列スペース１４から出て行った商品で、まだ買物カート４に入っていない商品ＩＤが記憶されている。商品情報記憶部１２に商品Ｘｉが記憶されていた場合は、顧客が一旦取出したものの、買物カート４に入れないで商品陳列スペース１４へ戻したと判定し（Ｓ２０２，ＹＥＳ）、Ｓ２３２へ進む。
【００４０】
Ｓ２０２において、ＮＯであれば、商品Ｘｉが戻り（商品陳列スペース１４への入り）の商品か否かを判定する（Ｓ２１０）。戻りの商品ＩＤでなければ（Ｓ２１０，ＮＯ）、Ｓ２２１へ進む。ここでの戻りとは一旦買物カート４に入れた商品を顧客が元の商品陳列スペース１４に戻すことであり、買物カート４から商品Ｘｉおよび当該カートＩＤを事前に受信していた場合に、買物カート４から戻った商品と判定し（Ｓ２１０，ＹＥＳ）、商品ＩＤが商品陳列スペース１４に戻った旨の戻り確認を買物カートへ通知し（Ｓ２１１）、Ｓ２４０へ進む。
【００４１】
Ｓ２２１において、この商品Ｘｉは、Ｓ２０２およびＳ２１０の判定結果から顧客が元の商品陳列スペース１４に戻す時に読取った商品ＩＤではないので、顧客がこの商品を商品陳列スペース１４から取出した時に読取った商品ＩＤであると判断し、商品Ｘｉ情報を商品情報記憶部１２に記憶する（Ｓ２２１）。そして、Ｘｉタイマーをスタート（Ｓ２２２）し、Ｓ２３０へ進む。なお、Ｘｉタイマーは取出された商品の各々について、取出されてからの経過時間を計測している。
【００４２】
Ｓ２３０において、買物カート４から、商品ＩＤ（Ｘｊ）を受信したか否かを判定し、受信してなければ（Ｓ２３０，ＮＯ）Ｓ２４０へ進む。受信した場合（Ｓ２３０，ＹＥＳ）、受信した商品ＩＤ（Ｘｊ）が、商品情報記憶部１２に記憶されているいずれかの商品ＩＤ（Ｘｉ）と一致するか判定し（Ｓ２３１）、一致しなければＳ２４０へ進む。一致したならば、Ｘｉタイマーをリセットし（Ｓ２３２）、商品情報記憶部１２に記憶している当該商品Ｘｉ情報を削除し（Ｓ２３３）、Ｓ２４０へ進む。
【００４３】
Ｓ２４０において、満了（タイムアウト）したタイマーＸｋが有るか否かを判定し、無ければ（Ｓ２４０，ＮＯ）、Ｓ２１０に戻る。満了したタイマーが有った場合（Ｓ２４０，ＹＥＳ）、タイムアウトしたＸｋに対応する商品が商品陳列ユニット１から取出されてから一定時間（例えば１０分）が経過しても、いずれの買物カート４にも入らなかったことを意味し、当該商品の盗難またはシステムの異常の可能性を通報先７（例えば、警備員室やシステム管理室）に通報し（Ｓ２４１）、Ｓ２１０へ戻る。
【００４４】
図３は、本発明による買物カート４の動作フローチャート図である。以下、図１を併用して、買物カート４の動作フローを説明する。
【００４５】
本フローは、買物カート４の電源が投入された状態で、顧客がこの買物カート４をカート置き場６３から取出して、店内で買物を開始する時にスタートする（Ｓ３００）。なお、このカート４を利用した前の顧客の買物に係る情報は、Ｓ３３３でクリアされている。
【００４６】
Ｓ３０１において、無線タグリーダ４０は、無線タグリーダ読取りエリア４３を通過する商品２に付された無線タグ３を監視し、通過する無線タグから商品ＩＤを読取った場合（Ｓ３０１，ＹＥＳ）、その通過は買物カート４への入りか否かを判定する（Ｓ３１０）。読取った商品ＩＤが商品情報記憶部４５に記憶済みのいずれかの商品Ｘｊ情報に一致であれば（Ｓ３１０，ＹＥＳ）、新たな商品の入りではなく、この買物カート４から取出された商品のＩＤであると判定し、Ｓ３２１へ進む。
【００４７】
Ｓ３１０において、商品情報記憶部４５に記憶済みのいずれの商品Ｘｊ情報とも一致しなければ（Ｓ３１０，ＮＯ）、新たな商品の入りと判定し、読取った商品ＩＤを商品Ｘｊ情報として商品情報記憶部４５に記憶し（Ｓ３１１）、記憶した商品Ｘｊ情報を商品陳列ユニット１および買物カート４へ通知（Ｓ３１２）し、カート内に入っている商品情報の表示（商品リスト，総額等）を更新し（Ｓ３１３）、Ｓ３３０へ進む。なお、Ｓ３１１で商品情報記憶部４５に記憶された商品Ｘｊ情報は支払対象の商品情報であり、いずれも、会計処理装置５に通知される。
【００４８】
ここで、Ｓ３１２における通知先は全ての商品陳列ユニット１または他の全ての買物カート４でもよいし、当該商品があった商品陳列ユニット１または他の買物カート４を指定してもよい。いずれにしても、自買物カート４に当該商品が入ったことを、当該商品を取出した商品陳列ユニット１または当該商品を譲ってもらった他の買物カート４へ通知するのが趣旨である。そして、通知された商品陳列ユニット１は図２のフローのＳ２３０でＹＥＳの処理を実行する。また、通知された他の買物カート４は、本フロー（図３）の後述するＳ３２１でＹＥＳの処理を実行する。
【００４９】
Ｓ３１０でＹＥＳの場合、この買物カート４に入っていた商品が買物カート４から取出したのであるから、その商品を購入しないで、元の商品陳列ユニット１に戻すためか、他の顧客に譲るためのいずれかである。その場合、自買物カート４の商品情報記憶部４５に記憶が残ったままでは、会計処理装置５に通知される対象のであり、当該商品ＩＤを削除する必要がある。ただし、買物カート４から取出しただけで、その商品ＩＤを削除しては、不正（自分のバッグに移し替える等）を抑止できない。
【００５０】
そこで、Ｓ３２１において、商品陳列ユニット１または他の買物カート４から商品ＩＤの受信を監視し、商品ＩＤを受信し（Ｓ３２１，ＹＥＳ）、受信した商品ＩＤが商品情報記憶部４５に記憶されているいずれかの商品情報Ｘｊと一致した場合（Ｓ３２２，ＹＥＳ）にのみ、記憶していた当該商品Ｘｊ情報を削除し、カート内商品情報の表示を更新（Ｓ３２３）し、Ｓ３３０へ進む。Ｓ３２１またはＳ３２２でＮＯであれば、前述したＳ３２３をスキップして、Ｓ３３０へ進む。
【００５１】
Ｓ３３０において、顧客が操作部４７を操作して事前会計要求が為されると（Ｓ３３０，ＹＥＳ）、自買物カート４に入っている全商品の内商品Ｘｊ情報のリストと自買物カート４のカートＩＤを会計処理装置５へ通知し（Ｓ３３１）、Ｓ３３２へ進む。事前会計要求が為されなければ（Ｓ３３０，ＮＯ）、Ｓ３０１へ戻る。
【００５２】
Ｓ３３２において、支払いが完了したか否か判定し、支払完了でなければ（Ｓ３３２，ＮＯ）、支払いが完了するまで待つ。なお、支払いが完了したか否かの判定は、会計処理装置５から入金の確認に係る情報を受信したか否かで判定すればよい。そして、支払いが完了であれば（Ｓ３３２，ＹＥＳ）、カート制御部４６は商品情報記憶部４５に記憶しているカート内商品情報をクリア（Ｓ３３３）し、Ｓ３０１へ戻る。なお、Ｓ３３３で商品情報記憶部４５をクリアするのは、次の顧客へ自買物カート４が貸し出されるための処理である。
【００５３】
図４は、本発明による会計処理装置５の動作フローチャート図である。以下、図１を併用して、会計処理装置５の動作フローを説明する。
【００５４】
本フローは、会計処理装置５の電源が投入された状態で、スタートする（Ｓ４００）。
【００５５】
Ｓ４１０において、いずれかの買物カート４からカートＩＤと商品ＩＤのリストを受信したか否かを判定し（受信するまで待つ）、受信した場合（Ｓ４１０，ＹＥＳ）、受信した商品ＩＤリストを集計，処理した会計情報を会計情報記憶部５６に記憶する（Ｓ４１１）。そして、当該カートＩＤの買物カート４が直近に存在していれば（Ｓ４２０，ＹＥＳ）、事前に処理して記憶しておいた会計情報を表示部５４に表示し（Ｓ４２１）し、顧客に対して購入する商品の支払いを求める。そして、詳細は省くが、支払いに係る入金処理やレシート出力等を行い（Ｓ４２２）、次の買物カート４からのカートＩＤと商品ＩＤのリストの受信を待つ（Ｓ４１０）。
【００５６】
以上、本発明の実施形態の一例を説明した。本発明によれば、買物カートに入っている商品に装着されている無線タグにより、事前に会計処理をしておけるので、レジにおける支払いを円滑化または自動化できる。また、買物カートおよび商品陳列ユニットの双方に無線タグリーダがあるので、商品の戻しおよび不正の検知が容易である。さらに、自動精算機と連携すれば自動精算も可能であり、少ない店舗側の従業員で大勢の顧客の会計処理に対応できる。また、顧客にとっても購入商品の支払いに係る待ち時間が短縮され快適である。なお、本発明による無線タグシステムを在庫管理や発注管理等の商品管理に流用すること、または商品管理に適用している無線タグを本発明システムの無線タグに流用すること、は当然可能である。
【符号の説明】
【００５７】
１  ・・・商品陳列ユニット
２  ・・・商品
３  ・・・無線タグ
４  ・・・買物カート
５  ・・・会計処理装置
６  ・・・出口システム
７  ・・・通報先
８  ・・・在庫管理部門
１０・・・ユニット制御部
１１・・・無線タグリーダ
１２・・・商品情報記憶部
１３・・・通信制御部
１４・・・商品陳列スペース
１５・・・表示部
１６・・・無線タグリーダ読取りエリア
４０・・・無線タグリーダ
４１・・・通信制御部
４２・・・表示部
４３・・・無線タグリーダ読取りエリア
４４・・・商品入れエリア
４５・・・商品情報記憶部
４６・・・カート制御部
４７・・・操作部
５０・・・会計処理部
５１・・・操作部
５２・・・入金部
５３・・・レシート出力部
５４・・・表示部
５５・・・通信制御部
５６・・・会計情報記憶部
５７・・・近傍カート検知部
６０・・・無線タグリーダ
６１・・・無線タグリーダ読取りエリア
６２・・・通信制御部
６３・・・カート置き場
６４・・・無線タグ回収ＢＯＸ
【図１】
2014071599.tif 000003
【図２】
2014071599.tif 000004
【図３】
2014071599.tif 000005
【図４】
2014071599.tif 000006